(57)【要約】【課題】インスタント写真撮影・現像・プリント装置や携帯情報端末などに対しての適用性を高め、応用範囲及び機能の拡大を可能にするとともに設置負担を低減し、転送時間や受信時間の短縮を可能にする。【解決手段】携帯情報端末により撮影した画像などのデータを離間箇所などに転送して、複合写真処理機に記憶させておき、所望時に複合写真処理機で画像を呼び出して、必要な画像をプリントするとともに、複合写真処理機の画像データなどをさらに離間箇所に転送する各機能が配される。また、複合写真処理機には、所望画像を選択して離間箇所に転送する送信手段や、所望画像を選択し着脱可能な記憶媒体に書き込ませるデータ書込み手段が配される。【選択図】    図１
2004215206.tif 000002
【特許請求の範囲】
【請求項１】
画像の撮影工程と、その画像を転送する工程と、該画像を受信して記憶する工程と、記憶画像を呼び出して所望画像をプリントする工程とを有する写真の総合処理方法。
【請求項２】
記憶画像を呼び出して所望画像を選択する工程と、選択した画像を離間箇所に転送する工程とを有することを特徴とする請求項１記載の写真の総合処理方法。
【請求項３】
画像の撮影を行う携帯情報端末機（１）と、該携帯情報端末機に伝送手段（２）を介して接続される複合写真処理機（３）とを具備し、該複合写真処理機に画像を受信して記憶する記憶手段（３３）と、所望画像をプリントするプリント手段（３８）が配されることを特徴とする写真総合処理ネットワーク。
【請求項４】
複合写真処理機（３）に、所望画像を選択して離間箇所に転送する送信手段（４１）が配されることを特徴とする請求項３記載の写真総合処理ネットワーク。
【請求項５】
複合写真処理機（３）に、所望画像を選択し着脱可能な記憶媒体（ｍ）に書き込ませるデータ書込み手段（４３）が配されることを特徴とする請求項３または４記載の写真総合処理ネットワーク。
【発明の詳細な説明】
【０００１】
【発明の属する技術分野】
本発明は、写真の総合処理システムに係り、特に、カメラ付き携帯電話機と写真プリント装置などとの総合処理機能を向上させる好適技術に関するものである。
【０００２】
【従来の技術】
携帯電話や写真の撮影・現像・プリント装置の関連技術として、以下のようなものが挙げられる。
【特許文献１】特開２００１−２１８１７６「画像音声通信処理機構」
【特許文献２】特開２００２−６４６５７「携帯電話機の壁紙形成装置、サーバ端末装置、携帯電話機の壁紙形成システム、携帯電話機の壁紙形成方法及び記憶媒体」
【特許文献３】特開２０００−６９４０２「証明写真出力システム及び記憶媒体」
【特許文献４】特開２０００−２７０１４９「画像データ管理システム」
【０００３】
特許文献１〜４は、それぞれ携帯端末の利便性を向上させることができるとともに、インスタント写真撮影・現像・プリント装置の機能を高めることができるものと期待される。
【０００４】
【発明が解決しようとする課題】
最近、携帯端末の一つである携帯電話機にデジタルカメラを搭載して、携帯電話機相互の画像転送を可能にするなどの機能充実が図られているが、画像データの容量が大きくなって転送時間や受信時間がかかるとともに、通信料金の増大を招く要因の一つとなっている。
一方、インスタント写真撮影・現像・プリント装置にあっては、デジタルカメラの普及とともに、採算性が懸念されるようになりつつある。
【０００５】
本発明は、上記の事情に鑑みてなされたもので、以下の目的を達成するものである。
（１）携帯電話機など携帯端末の利用範囲を拡大すること。
（２）欲しいと思う静止画あるいは動画を好きなだけ記録・記憶させておき、その取り出しを可能にすること。
（３）静止画あるいは動画を、目的の被受信者に送信可能にすること。
（４）街角・交通機関の駅などに設置されているインスタント写真撮影・現像・プリント装置の応用範囲及び機能の拡大を図ること。
（５）既存設備への応用・適用を容易にし、設置負担を低減すること。
【０００６】
【課題を解決するための手段】
本発明は、写真総合処理システムを提供するものであるが、写真総合処理を行うための方法や、そのネットワークに関する技術を包含している。
【０００７】
〔技術の骨子の説明〕
写真総合処理方法は、画像の撮影工程と、その画像を離間箇所などに転送する工程と、該画像を受信して記憶しておく工程と、記憶画像を呼び出して所望画像をプリントする工程とを有している。
この技術には、記憶画像を呼び出して所望画像を選択する工程と、選択した画像を任意の離間箇所に転送する工程とが付加される。
写真総合処理ネットワークは、画像の撮影を行う携帯情報端末機と、該携帯情報端末機に伝送手段を介して接続されて画像を離間箇所に転送する複合写真処理機とを具備し、該複合写真処理機には、画像を受信して記憶する記憶手段と、所望画像をプリントするプリント手段が配される。
複合写真処理機には、所望画像を選択して離間箇所に転送する送信手段や、所望画像を選択し着脱可能な記憶媒体に書き込ませるデータ書込み手段が配される。
【０００８】
〔技術の詳細説明と補足説明〕
携帯情報端末機としては、写真や動画撮影機能を有するカメラ付き携帯電話、デジタルカメラ、カメラ付き携帯情報端末機（ＰＤＡやノートパソコン）などが適用され、携帯情報端末機に無線または有線の専用回線、インターネット、赤外線、近距離無線通信（ブルートゥース）などの通信機能を任意数組み合わせた伝送手段が予め備えられているもの、あるいは簡単な操作で上記伝送手段に接続可能であるものが適用される。加えて、同時または選択的に音声情報録音機能を持つものが、必要に応じて適用される。
この場合の画像や動画、音声情報の伝送は、メール添付などの機能を利用するもの、あるいは画像や動画、音声情報などを単独で送信できる機能を持つものも適用可能である。
複合写真処理機としては、例えば前述した特開２０００−６９４０２や特開２０００−２７０１４９のように、証明用写真撮影と現像・プリント機能を基本的に有しているもの、特開２００１−２１８１７６に記載されているように、いわゆるプリクラ（株式会社アトラス登録商標）の機能を基本的に有しているもの、その他写真撮影・現像・プリント機能を持ついわゆるインスタント写真撮影装置などが流用可能であるが、加えて、以下の機能を有するものが採用される。
伝送手段に接続される受信手段、受信した画像や動画、音声情報にメールアドレス、その他の識別情報などを加えて記憶しておく記憶手段、選択した所望画像を離間箇所に転送する送信手段、所望画像を着脱可能な記憶媒体に書き込ませるデータ書込み手段などである。
受信手段と送信手段とは、必要に応じて一つの送受信手段として機能が簡素化されるとともに、種々の伝送手段に対応する機能を持つものが望ましい。
データ書込み手段は、多様化されている記憶媒体に対応できるものが望ましく、例えば、フロッピーディスク，ＣＤ−Ｒ，ＣＤ−ＲＷ，ＤＶＤ−Ｒ，ＤＶＤ−ＲＡＭや、デジタルカメラなどに採用されている各種のメモリーカードなどの記憶媒体に書き込みできるインターフェースを持つものが適用される。
【０００９】
【発明の実施の形態】
図１は、本発明に係る写真総合処理ネットワークの第１実施形態を示している。
図１において、１は携帯情報端末機、２は伝送手段、３は複合写真処理機を示している。
【００１０】
前記携帯情報端末機１は、カメラ付き携帯電話などで、デジタルカメラの機能を持ち、その撮影した画像をメール添付などの方法で、所望のメールアドレス（送信先）などに通信回線を使用して送信できる機能を有するものとされる。
【００１１】
前記伝送手段２は、携帯情報端末機１が携帯電話である場合、その通信機能および通信回線が適用されるが、前述したようにインターネットや有線のものであってもよい。
【００１２】
前記複合写真処理機３は、少なくとも証明用写真撮影装置やいわゆるプリクラ（株式会社アトラス登録商標）が備えている撮影・現像・プリント機能を基本的に有していることが必要であるが、それらの機能を拡大して高機能化するため、図１に示す各機能（各手段）が付加される。
【００１３】
複合写真処理機３には、図１に示すように、証明用写真撮影装置などの撮影・現像・プリント機能として、カメラなどの撮像手段３１、撮像した画像をデジタル化および最適化処理するなどの現像手段３２、現像した画像を記憶する記憶手段３３、記憶画像を呼び出すための画像呼出し手段３４、画像を表示させるディスプレー装置などの画像表示手段３５、表示画像を選択するための画像選択手段３６、フレーム加工などの装飾などを付加する画像加工手段３７、決定した画像をプリントするプリント手段３８、プリントの排出トレー３９、図１に示す各手段に接続されて操作時に各指示を行うタッチパネルやキーボードなどの入力手段４０などが配されるが、これらに加えて、送受信手段（送信手段、受信手段）４１、インターフェース４２、データ書込み手段４３が付加される。
【００１４】
前記送受信手段（送信手段、受信手段）４１は、ここでは携帯情報端末機１がカメラ付き携帯電話などであることに対応して、伝送手段２を介して伝送される通信情報を受信し得る機能の受信手段や、固有のメールアドレスを少なくとも有するものであるとともに、個々の携帯情報端末機１を識別する（送信先を識別する）ための識別情報を受信する機能を有するものが適用される。
また、送受信手段４１には、伝送手段２に対して所望の画像データを送信するための送信手段が配される。
【００１５】
前記インターフェース４２は、送受信手段４１やデータ書込み手段４３への直接的な接続をして、通信情報や画像情報などの取り出しまたは取り込みを行うために、ＵＳＢ，ＩＥＥＥ１３９４端子、赤外線通信機能などが配される。
【００１６】
前記データ書込み手段４３は、フロッピーディスク，ＣＤ−Ｒ，ＣＤ−ＲＷ，ＤＶＤ−Ｒ，ＤＶＤ−ＲＡＭや、デジタルカメラに使用されるメモリーカードなどの多様化されている複数種類の記憶媒体ｍに対応できるように、それぞれの規格に対応したデータの出力と書き込みができるものが適用される。
【００１７】
なお、図１において、符号ＩＢは離間受信機器であり、後述するように必要に応じて接続される。
【００１８】
このような構成の写真総合処理ネットワーク（および写真総合処理システム）について、図２および図３を参照して説明する。
【００１９】
〔写真撮影・プリント工程の実施の形態〕
図２は、写真撮影からプリントアウトまでの写真処理工程（写真処理方法）の実施形態を示している。
以下、フローチャートに基づいて、各ステップに分けて説明する。
【００２０】
「Ｓ１」：カメラ付き携帯電話などにより、画像の撮影を実施する。
【００２１】
「Ｓ２」：画像が複数である場合、転送すべき画像の選択が行われる。
【００２２】
「Ｓ３」：選択した画像について、転送するか否かを判別する。
選択した画像を転送する場合、つまり「ｙｅｓ」である場合には、「Ｓ４」に移行し、選択画像を変更する場合、つまり「ｎｏ」である場合には、「Ｓ２」に戻って選択が繰り返される。
【００２３】
「Ｓ４」：選択した画像は、携帯電話などの通信機能を利用して、目的とするアドレス（所望の複合写真処理機３またはそのネットワークサーバ）などに転送される。
【００２４】
「Ｓ５」：転送した画像情報は、目的アドレスの複合写真処理機３またはネットワークサーバに、受信される。
【００２５】
「Ｓ６」：受信した画像情報は、複合写真処理機３などに、アドレスや識別番号などとともに記憶・蓄積される。
【００２６】
「Ｓ７」：所望箇所の複合写真処理機３またはネットワークサーバにアクセスがあり、アドレスや識別番号などに基づいて、記憶した画像情報などの呼び出しがある場合、つまり「ｙｅｓ」である場合には、「Ｓ８」に移行し、呼び出しがない場合、つまり「ｎｏ」である場合には、画像呼び出しが繰り返される。
【００２７】
「Ｓ８」：利用客が、記憶画像の呼び出しを必要とする場合には、入力手段４０の操作により記憶手段３３に記憶させておいた画像やリストなどが呼び出しされる。
【００２８】
「Ｓ９」：呼び出された画像やリストは、画像表示手段３５によって表示される。
【００２９】
「Ｓ１０」：画像やリストの表示に引き続いて、画像選択手段３６の作動により、利用者の画像選択がなされる。
【００３０】
「Ｓ１１」：引き続き、利用客の要望を加味して、模様挿入などのフレーム加工や日付の挿入など画像の加工指示がなされる。画像の加工指示により画像加工手段３７が作動し、画像が所望状態に合成される。
【００３１】
「Ｓ１２」：合成された画像は、プリント手段３８の作動により、指定した所望画像のプリントが実施される。
【００３２】
「Ｓ１３」：プリント手段３８の作動終了により、プリントされた写真は、排出トレー３９に移送され、利用客に受け渡されて終了となる。
【００３３】
〔写真転送・書込み工程の実施の形態〕
図３は、写真転送・書込み工程（画像などのデータ転送や書込み処理方法）の実施の形態を示している。
以下、フローチャートに基づいて、各ステップに分けて説明する。
【００３４】
「Ｓ２１」：図２のＳ８と同様に、利用客が、記憶画像の呼び出しを必要とする場合には、入力手段４０の操作により記憶手段３３に記憶させておいた画像やリストなどを呼び出す。
【００３５】
「Ｓ２２」：呼び出された画像やリストは、画像表示手段３５によって表示される。
【００３６】
「Ｓ２３」：さらに、図２のＳ１０と同様に、画像選択手段３６の作動により、画像の選択を行う。
【００３７】
「Ｓ２４」：模様挿入などのフレーム加工や日付の挿入など画像の加工指示が必要である場合には、画像加工手段３７の作動により、画像を加工する。
【００３８】
「Ｓ２５」：所望画像について、必要に応じて画素数の設定や変更を行う。例えば、デジタルカメラで撮影した高画質画像の画素数を少なくして通信時間を短縮するなどの調整がなされる。
【００３９】
「Ｓ２６」：ここでは、選択あるいは種々の加工や設定を行った画像を、所望の離間箇所まで転送するか否かを決定する。
画像を転送の有無が判別され、「ｙｅｓ」である場合には、「Ｓ２７」に移行し、「ｎｏ」である場合には、「Ｓ２９」に移行する。
【００４０】
「Ｓ２７」：転送希望の画像データなどについて、その転送先のアドレスを指定する。
この場合に指定する離間受信機器１Ｂは、遠隔地にいる友人などの携帯電話、任意の携帯情報端末、自身のパソコン、企業のサーバなど、任意のものを選択可能である。
【００４１】
「Ｓ２８」：送受信手段４１の作動により、伝送手段２を経由して遠隔地（離間箇所）の指定受信者に転送する。
この場合の伝送手段２は、光ファイバーなどを利用した高速通信回線（インターネットなど）であることが望ましいが、携帯電話などの通信回線であってもよい。
【００４２】
「Ｓ２９」：転送終了後（転送前に操作することを制限するものではない）に、所望の記憶媒体ｍに書込みをするか否かが決定される。
「ｙｅｓ」である場合には、「Ｓ３０」に移行するが、「ｎｏ」である場合には、作業終了となる。
【００４３】
「Ｓ３０」：記憶媒体ｍへの書込みが必要である場合には、記憶媒体ｍの挿入やインターフェース４２を経由したデータ伝送により、記憶媒体ｍの指定および設定が行われる。
【００４４】
「Ｓ３１」：記憶媒体ｍを指定したかが判別され、「ｎｏ」である場合には、判別が繰り返され、「ｙｅｓ」である場合には、「Ｓ３２」に移行する。
【００４５】
「Ｓ３２」：データ書込み手段４３の作動により、記憶媒体ｍへのデータ書込みが実施される。
【００４６】
「Ｓ３３」：データ書込み後に、記憶媒体ｍが取り出されて、写真転送・書込み工程が終了となる。
【００４７】
〔他の実施の形態〕
本発明にあっては、以下の技術を包含している。
ａ）携帯情報端末機１が携帯電話などである場合において、複合写真処理機３のインターフェース４２に直接接続して、画像データなどを複合写真処理機３の記憶手段３３に伝送する技術。
ｂ）複合写真処理機３の記憶手段３３に蓄積させておいた画像データなどを取り出す際に、携帯情報端末機１を持ち込んで、直接接続してデータ伝送を行う技術。
ｃ）携帯情報端末機１が携帯可能なパソコン（パーソナルコンピューター）などに対して適用される技術。
ｄ）画像データを伝送する際に、公知技術に準拠して圧縮・解凍処理する技術。また、複合写真処理機３に圧縮・解凍ソフトウエアを組み込んでおく技術。
ｅ）伝送する画像などのデータが、静止画だけではなく、動画や音声情報を含むものである技術。
【００４８】
【発明の効果】
本発明に係わる写真の総合処理システムによれば、以下の効果を奏する。
（１）写真撮影機能を有する携帯情報端末のデータ伝送箇所を設定することにより、携帯情報端末の利用範囲を拡大することができる。
（２）画像データなどを複合写真処理機に伝送して記憶させておくことにより、残したい画像などを所望するだけ記録・記憶させておき、任意時にその取り出すことができる。
（３）所望画像を、目的とする被受信者に、高速で短時間に送信することができる。
（４）街角・交通機関の駅などに設置されているインスタント写真撮影・現像・プリント装置の用途範囲や応用範囲及び機能の拡大を図ることができる。
（５）既存設備に対して応用・適用が容易になり、設置負担を低減することができる。
【図面の簡単な説明】
【図１】本発明に係わる写真総合処理ネットワークの第１実施形態を示すブロック図である。
【図２】本発明に係わる写真撮影・プリント工程の実施形態を示すフローチャートである。
【図３】本発明に係わる写真転送・書込み工程の実施形態を示すフローチャートである。
【符号の説明】
１……携帯情報端末機、１Ｂ…離間受信機器、２…伝送手段、３…複合写真処理機、３１…撮像手段、３２…現像手段、３３…記憶手段、３４…画像呼出し手段、３５…画像表示手段、３６…画像選択手段、３７…画像加工手段、３８…プリント手段、３９…排出トレー、４０…入力手段、４１…送受信手段（送信手段、受信手段）、４２…インターフェース、４３…データ書込み手段、ｍ…記憶媒体。
【図１】
2004215206.tif 000003
【図２】
2004215206.tif 000004
【図３】
2004215206.tif 000005